(57)【要約】【課題】  本発明は、コイン投入口とホッパー投入口の２箇所にコインの通過を検出するセンサーを配置することにより実際にコインが投入されたことを検出することで不正を検出することを可能とするスロットマシンにおけるクレジット不正検出装置を提供することを目的とするものである。【解決手段】  本発明は、コイン投入路に設けられるコイン通過感知センサーである反射型赤外線センサー２による検出信号を感知する第１コイン通過検出手段とした電流変位センサー４と、前記コイン投入路よりホッパーに投下されるコインを感知する第２コイン通過検出手段とした赤外線センサー７と、前記電流変位センサー４と前記赤外線センサー７によるコイン通過検知が不一致のときに警報を発する不正警報手段を備える。【選択図】        図１
2005323910.tif 000002
【特許請求の範囲】
【請求項１】
コイン投入路に設けられるコイン通過感知センサーによる検出信号を感知する第１コイン通過検出手段と、
前記コイン投入路よりホッパーに投下されるコインを感知する第２コイン通過検出手段と、
前記第１コイン通過検出手段と前記第２コイン通過検出手段によるコイン通過検知が不一致のときに警報を発する不正警報手段を備える
ことを特徴とするスロットマシンにおけるクレジット不正検出装置。
【請求項２】
前記不正警報手段が、前記第１コイン通過検出手段によるコイン通過検知に対して第２コイン通過検出手段によるコイン通過不一致が複数回検知された後に警報を発する
ことを特徴とする請求項１に記載のスロットマシンにおけるクレジット不正検出装置。
【請求項３】
前記第１コイン通過検出手段によるコイン通過検知に対して第２コイン通過検出手段によるコイン通過不一致による設定数を自在に調整することができる
ことを特徴とする請求項２に記載のスロットマシンにおけるクレジット不正検出装置。
【請求項４】
前記第１コイン通過検出手段が電流変位センサーにより構成される
ことを特徴とする請求項１、２または３に記載のスロットマシンにおけるクレジット不正検出装置。
【請求項５】
前記第２コイン通過検出手段が赤外線センサーにより構成される
ことを特徴とする請求項１、２、３または４に記載のスロットマシンにおけるクレジット不正検出装置。
【発明の詳細な説明】
【技術分野】
【０００１】
本発明はスロットマシンにおけるクレジット不正検出装置に関する。詳しくはコイン投入口からの不正行為によってクレジットを不正に増やす行為を検出して警告を発するスロットマシンにおけるクレジット不正検出装置に係るものである。
【背景技術】
【０００２】
従来よりスロットマシン機に何らかの細工を施し、コインを不正に得る者がいる。例えばコイン払い出しホッパー内にピアノ線を挿入して不正にコインを払い出す行為や最近ではソレノイドを体感器によって大当たりの乱数を狙い、スロットマシンのスタートレバーを突き、大当たりをさせる行為などがある。
【０００３】
これらの不正行為に対する不正検出装置として、図４に示すようなスロットマシン不正検出装置がある。この発明はスロットマシンの外部または内部の配線１０１にクランプ式を含む電流センサー１０２を取り付け、電流変化判定部１０３で電流の変化を検出し、ｎビットカウンタ１０４（ｎ≧１）で変化が何回あったかを計数し、カウント値表示部／出力部１０４で、そのカウント値を表示したり、スロットマシンの管理システムなどの外部に出力することで、不正な行為を確実に検出できる構成とする（例えば、特許文献１参照。）。
【０００４】
【特許文献１】特開２００３−７９８０８号公報（要約書、第１図）
【発明の開示】
【発明が解決しようとする課題】
【０００５】
前記不正検出装置では遊技者が不正にスロットマシンの大当たり確立を変更しようとするときに電源部に供給されている電流が電源スイッチによりＯＦＦまたはＯＮにされるときの電流変化を電流センサーで検知して不正を検出するものであり、スロットマシンの内部設定の変更に対しては有効な手段であるといえる。
【０００６】
しかしながら最近の不正行為ではスロットマシンに設けられるクレジット機能を利用して不正行為を行うものが増えてきている。このクレジット機能とは１ゲームごとにコインをコイン投入口に投入する手間を省くために５０枚までのコインをキープすることができる機能である。
【０００７】
したがって遊技者はコインをコイン投入口に所要数（５０枚以下）投入することにより連続してプレイに専念することができ、かつ当たりがでるごとに、その払い出し枚数（５０枚）までキープすることができ、５０枚を超える払い出しコインはスロットマシン台の払い出し口より払い出されることになる。
【０００８】
ここで、図５に示すようにコイン投入口１０５内にはコインの通過を検知する赤外線センサー１０６が設置され、この赤外線センサー１０６によるコイン通過検出信号がクレジット回路１０８への積算と、プレイボタンを押すことによってメイン回路１０９からのゲーム開始の信号とクレジット回路１０８からのコインの減算が行われ、当たりが出た場合にはメイン回路１０９からクレジット回路１０８へコインの積算（５０枚まで）が行われるものであり、不正行為者（ゴト師）がコイン投入口より赤外線センサーに対してあたかもコインが通過しているような状態とすることができる不正装置を挿入し、不正にクレジットへの積算および５０枚以上からのコインの搾取並びに無料のゲームプレイを行っている。
このような不正行為に対して前記不正検出装置では何ら対応することができないのが現状である。
【０００９】
本発明は、以上の点に鑑みて創案されたものであって、コイン投入口とホッパー投入口の２箇所にコインの通過を検出するセンサーを配置することにより実際にコインが投入されたことを検出することで不正を検出することを可能とするスロットマシンにおけるクレジット不正検出装置を提供することを目的とするものである。
【課題を解決するための手段】
【００１０】
上記の目的を達成するために、本発明に係るスロットマシンにおけるクレジット不正検出装置は、コイン投入路に設けられるコイン通過感知センサーによる検出信号を感知する第１コイン通過検出手段と、前記コイン投入路よりホッパーに投下されるコインを感知する第２コイン通過検出手段と、前記第１コイン通過検出手段と前記第２コイン通過検出手段によるコイン通過検知が不一致のときに警報を発する不正警報手段を備える。
【００１１】
ここで、コイン投入口から投入されるコインはコイン投入路を通り、ホッパー内に投下される。この場合にコイン投入路にはコインの通過を感知するコイン通過感知センサーが設けられており、このコイン通過感知センサーによってコイン通過枚数がクレジット回路に積算される。そこで不正行為者（ゴト師）がコイン投入口より赤外線センサーに対してあたかもコインが通過しているような状態とすることができる不正装置を挿入した場合にはコイン通過感知センサーが反応することによる検出信号が第１コイン通過検出手段により検知されるが、第２コイン通過検出手段によりコインの通過が感知されないことになり、この第１コイン通過検出手段に対する第２コイン通過検出手段によるコイン通過検出が不一致となるときに不正警報手段により警報を発して不正行為を検出する。
【００１２】
なお、第１コイン通過検出手段によるコイン通過検出に対して設定数以上の第２コイン通過検出手段によるコイン通過不一致が生じたときに警報を発するようにすることで確実に不正行為を検出することが可能となる。
【発明の効果】
【００１３】
以上の構成よりなる本発明では、コイン投入路を通過するコインの枚数とホッパーに落ちていくコインの枚数に誤差が生じた場合、不正警報手段によりクレジットへの不正行為を発見して警報を発する。
【００１４】
また、コイン投入口より投入されるコインは必ずコイン投入路を通り、ホッパー内へ投下されることから第１コイン通過検出手段および第２コイン通過検出手段により検出に誤作動を生じることが少なく精度の高い確実な不正を検出することが可能となる。
【発明を実施するための最良の形態】
【００１５】
以下、本発明の実施の形態を図面を参酌しながら説明し、本発明の理解に供する。
図１に、本発明を適用したスロットマシンにおけるクレジット不正検出装置の電気ブロック回路図を示す。
【００１６】
ここで示すクレジット不正検出装置１は、スロットマシンのコイン投入路に設置される反射型赤外線センサー２に接続されるコネクタ３との間に第１コイン通過検出手段による電流変位センサー４が接続される。
【００１７】
そこで反射型赤外線センサー２によるコインの通過確認は図２に示すように、例えば赤外線発光部Ａと赤外線発光部Ｂおよび受光部とから構成され、コインＣが赤外線発光部Ａ、Ｂを通過する場合に、まず赤外線発光部Ａによって感知され、次に赤外線発光部Ａ、Ｂ、更に赤外線発光部Ｂによって感知されることでコインＣの通過を確認する。
【００１８】
したがって反射型赤外線センサー２を通過する一枚のコインに対して赤外線発光部Ａ、Ｂによる２種類の検出信号が出されることになる。この検出信号による電流変位を電流変位センサー４によって感知する。そして電流変位センサー４によって検出されたアナログ信号はデジタル信号に変換され、更に１／２分周期回路５によって一枚のコインに対して赤外線発光部Ａ、Ｂによる２種類の検出信号を一枚のコインとして認識するように補正変換してカウンター回路６に入力される。
【００１９】
次にホッパーの投入口（図示せず。）には第２コイン通過検出手段による赤外線センサー７が設置されるものであり、この赤外線センサー７により第１コイン通過検出手段により通過が確認されたコインの通過を感知するものである。
【００２０】
ここで、赤外線センサー７により検出された検出信号はアナログ信号からデジタル信号に変換され、更にコインの通過枚数に補正されてカウンター回路６に入力される。そしてカウンター回路６にはコンパレータ回路８が接続される。このコンパレータ回路８には設定数回路９が接続されるものである。
【００２１】
そこで設定数回路９は第１コイン通過検出手段によって通過が確認されるコインの枚数に対して第２コイン通過検出手段によるコイン通過の未確認による不一致数を設定する回路であり、この設定数をコンパレータ回路８に入力し、カウンター回路６からの第１コイン通過検出手段および第２コイン通過検出手段により検出されるコインの枚数を比較して設定数以上の不一致が演算された場合に、その情報が第１記憶素子回路９に入力される。
【００２２】
また、第１記憶素子回路９には第１コイン通過検出手段と第２コイン通過検出手段によるコイン通過の時間差を検出する周期タイマー１０が接続されている。この周期タイマー１０によるタイマー情報が第１記憶素子回路９に入力され、不正と判断されたときに第２記憶素子回路１１に入力される。
【００２３】
ここで、第２記憶素子回路１１は最終的に不正行為が行われていると判断したときに、不正警報手段である警報リレー１２を作動するものである。この警報リレー１２はスロットマシンの上部に設けられる表示灯を点滅させるとともにホールの集中管理コンピューターに警告を発するような構成とする。
【００２４】
また、第２記憶素子回路１１と赤外線センサー７との間には第２コイン通過タイマー１３が介して接続される。この第２コイン通過タイマー１３は、第２コイン通過検出手段である赤外線センサーにコインがあたかも通過したように不正装置を挿入したときに赤外線センサーによる検知時間が設定時間以上となったときに第２記憶素子回路１１にタイマー情報が入力されて不正行為が行われていると判断し、不正警報手段である警報リレー１２を作動するものである。
【００２５】
更に赤外線センサー７とカウンター回路６との間にリセット回路１４が設けられ、このリセット回路１４によって第１コイン通過検出手段と第２コイン通過検出手段により検出されるコインの通過枚数が一致する都度、カウンター回路６によるコインの積算を零とするものである。
【００２６】
また、第１記憶素子回路９および第２記憶素子回路１１に接続されるメインリセット回路１５は、不正行為が行われているものと判断し警報は発せられた場合に、その事実が確認された後に回路を初期状態にリセットするものである。
【００２７】
なお、第１コイン通過検出手段および第２コイン通過検出手段は必ずしも電流変位センサーおよび赤外線センサーで構成される必要性は無く、コインの通過を検出するものであればいかなる検出手段であっても構わない。
【００２８】
以上の構成よりなる本発明では図３に示すように、装置本体１６の入力端子であるＣＴセンサー端子には電流変位センサーが接続され、ＣＯＩＮセンサー端子には赤外線センサーが接続される。
設定１は各種のスロットマシンのコイン投入路に設置されるコイン通過センサーの種類に応じて電流変位を感知する切り替えスイッチであり、設定２は１／２周期回路の切り替えスイッチを示す。
【００２９】
また、設定３は第１コイン通過検出手段および第２コイン通過検出手段によるコインの不一致数を設定するための設定スイッチである。更に装置本体１の外表面には電源、警報、ＣＴ動作、コイン通過、リセットを示すＬＥＤ表示が設けられる。
【００３０】
更に、装置本体１６の出力端子であるレベル１、レベル２およびパルス１、パルス２にはスロットマシン上部に設置される表示灯やホールのメインコンピュターに接続され警報が発せられた場合には直ぐに対応できるものとする。
【００３１】
次に本発明のクレジット不正検出装置の作用状態について説明する。例えば設定数を４とした場合に、不正行為が行われていない状態では第１コイン通過検出手段により検出されたコイン枚数と第２コイン通過検出手段により検出されたコイン枚数とは常に一致し、その都度カウンター回路がリセットされる。
【００３２】
ここで、コイン投入路に設置された反射型赤外線センサーに、コインが通過しているような不正行為が行われている場合では、第１コイン通過検出手段により検出されるコイン枚数と第２コイン通過検出手段により検出されるコイン枚数とに不一致が生じてカウンター回路がリセットされず、第１コイン通過検出手段により検出されるコイン枚数のみがカウンター回路に積算される。
【００３３】
そこでカウンター回路に積算されるコインの枚数と設定数とがコンパレータ回路によって比較演算され、第１コイン通過検出手段による４枚のコインの通過後の５枚目の通過の際に第２コイン通過検出手段により検出されるコインの通過が確認されず、かつ設定時間を越えた場合に不正行為が行われたものと判断され、警報を発する構成とされるものである。
【００３４】
したがって設定数を調整することにより不正行為の検出精度を調整することができ、設定数を多くすることにより検出精度を高めることが可能となる。
【００３５】
また、第２コイン通過検出手段による赤外線センサーに不正行為を行った場合には、不正行為が設定時間を超えたときに強制的に警報を発する構成とするものである。
【００３６】
このように本発明ではコイン投入路にあたかもコインが通過しているような偽装行為が行われたとしてもホッパーに投入されるコインの通過を認識することで不正行為を未然に防ぐことが可能となる。
【図面の簡単な説明】
【００３７】
【図１】本発明を適用したスロットマシンにおけるクレジット不正検出装置の電気ブロック回路図を示す。
【図２】反射型赤外線センサーによるコインの通過検出の一例を示す説明図である。
【図３】本発明を適用したスロットマシンにおけるクレジット不正検出装置の装置本体の表示の一例を示す説明図である。
【図４】従来のスロットマシンの不正行為検出装置の一例を示す説明図である。
【図５】スロットマシンにおけるコイン通過検出の一例を示す説明図である。
【符号の説明】
【００３８】
１      クレジット不正検出装置
２      反射型赤外線センサー
３      コネクタ
４      電流変位センサー
５      １／２分周期回路
６      カウンター回路
７      赤外線センサー
８      コンパレータ回路
９      第１記憶素子回路
１０    周期タイマー
１１    第２記憶素子回路
１２    警報リレー
１３    第２コイン通過タイマー
１４    リセット回路
１５    メインリセット回路
１６    装置本体
【図１】
2005323910.tif 000003
【図２】
2005323910.tif 000004
【図３】
2005323910.tif 000005
【図４】
2005323910.tif 000006
【図５】
2005323910.tif 000007